(57)【要約】【課題】レンズの強度が低下することなく耐久性に優れたものとなり、さらに視界が妨げられることなく視認性に優れたものとなり、フレーム内の換気が不充分となることなく充分な防曇性を確保することができるゴ−グルを提供する。【解決手段】フレーム１の両側端寄りの上下壁に、それぞれリンク部材２の上下端を軸支し、前記リンク部材２にレンズ３の側端３ａをそれぞれ取り付け、このレンズ３の周囲を前記フレーム１の周囲に当接するようにし、前記リンク部材２をそれぞれ操作部材４によって回動操作することにより、前記レンズ３をフレーム１から突き出せるようにしている。【選択図】図６
2015163181.tif 000002
【特許請求の範囲】
【請求項１】
フレーム（１）の両側端寄りの上下壁に、それぞれリンク部材（２）の上下端を軸支し、前記リンク部材（２）にレンズ（３）の側端（３ａ）をそれぞれ取り付け、このレンズ（３）の周囲を前記フレーム（１）の周囲に当接するようにし、前記リンク部材（２）をそれぞれ操作部材（４）によって回動操作することにより、前記レンズ（３）をフレーム（１）から突き出せるようにしたことを特徴とするゴーグル。
【請求項２】
前記リンク部材（２）は、上部体（２ａ）と下部体（２ｂ）と中間体（２ｃ）とから略コ字状に形成したものとしており、リンク部材（２）の上部体（２ａ）をフレーム（１）に軸支し、リンク部材（２）の下部体（２ｂ）をフレーム（１）に軸支すると共に、このリンク部材（２）の下部体（２ｂ）に操作部材（４）を固着していることを特徴とする請求項１記載のゴーグル。
【請求項３】
前記レンズ（３）は、両側端（３ａ）に係着部材（３１）を設けており、この係着部材（３１）によって、前記リンク部材（２）の中間体（２ｃ）にレンズ（３）の両側端（３ａ）をそれぞれ着脱自在に取り付けていることを特徴とする請求項２記載のゴーグル。
【請求項４】
前記リンク部材（２）の中間体（２ｃ）は、上部体（２ａ）の下端に設けた支軸（１３）を、レンズ（３）の係着部材（３１）の係合部（３３）の係合溝（１４）を上端に設けた筒体（１５）がバネ（１６）で上部体（２ａ）に向かって押し上げられるようにして、この筒体（１５）に貫通させ、前記支軸（１３）の下端を、リンク部材（２）の下部体（２ｂ）に設けた支持孔（１７）に差し込んだものとしていることを特徴とする請求項３記載のゴーグル。
【請求項５】
前記リンク部材（２）は、中間体（２ｃ）の上端にレンズ（３）の係着部材（３１）の係合部（３３）の係合溝（１４）を設けていることを特徴とする請求項３記載のゴーグル。
【請求項６】
前記リンク部材（２）は、短尺の上部体（２ｄ）と長尺の下部体（２ｅ）とから略く字状に形成したものとしており、リンク部材（２）の上部体（２ｄ）をフレーム（１）に軸支し、リンク部材（２）の下部体（２ｅ）をフレーム（１）に軸支すると共に、このリンク部材（２）の下部体（２ｅ）に操作部材（４）を固着していることを特徴とする請求項１記載のゴーグル。
【請求項７】
前記レンズ（３）は、両側端（３ａ）に係着部材（３１）を設けており、この係着部材（３１）によって、前記リンク部材（２）の下部体（２ｅ）にレンズ（３）の両側端（３ａ）をそれぞれ着脱自在に取り付けていることを特徴とする請求項６記載のゴーグル。
【請求項８】
前記リンク部材（２）は、下部体（２ｅ）の上端および下端に、レンズ（３）の係着部材（３１）の係合部（３３）の係合溝（１４）を設けていることを特徴とする請求項７記載のゴーグル。
【請求項９】
前記操作部材（４）は、短片状のレバーとしており、この操作部材（４）の回動に伴って前記リンク部材（２）が回動するようにし、このリンク部材（２）に取り付けられたレンズ（３）が平行な状態で、フレーム（１）から突き出せるようにしていることを特徴とする請求項１〜５の何れかに記載のゴーグル。
【請求項１０】
前記操作部材（４）は、短片状のレバーとしており、この操作部材（４）の回動に伴って前記リンク部材（２）が回動するようにし、このリンク部材（２）に取り付けられたレンズ（３）が傾斜した状態で、フレーム（１）から突き出せるようにしていることを特徴とする請求項６〜８の何れかに記載のゴーグル。
【請求項１１】
前記操作部材（４）は、上部体（４ａ）と下部体（４ｂ）と中間体（４ｃ）とから略コ字状に形成したレバーとしており、この操作部材（４）の回動に伴って前記リンク部材（２）が回動するようにし、このリンク部材（２）に取り付けられたレンズ（３）が平行な状態で、フレーム（１）から突き出せるようにしていることを特徴とする請求項１〜３の何れかに記載のゴーグル。
【発明の詳細な説明】
【技術分野】
【０００１】
この発明は、スキー、その他のスポーツをしたり、オートバイの運転をしたり、または工場、建築、土木等の現場で各種の作業をするときなどに着用するゴーグルに関するものである。
【背景技術】
【０００２】
従来、ゴーグルを着用して、スキーをしているときやオートバイの運転をしているときに、レンズが曇る場合がある。このレンズが曇る原因は、着用者が汗をかくと、顔面に近いゴーグル内の空気の湿度が上昇するためである。また、極寒条件下では、低温のレンズの内表面に凝縮が生じて曇ることがある。
【０００３】
従来のゴーグルには、このようなレンズの曇りを防止するために、レンズ自体に通気孔を設けたものや、レンズを保持するフレームに通気孔を設けたものがある。
【０００４】
レンズ自体に通気孔を設けたものとして、例えば、フレームに嵌め込んだレンズに比較的大きな通気孔を設けると共に、この通気孔を覆うように被覆部材をそのレンズの表面に着脱自在に取り付けたものとし、被覆部材には、取り付け状態において通気孔と対応する位置に孔を形成し、この孔を薄板状のフィルタで覆っているものがある（特許文献１）。
【０００５】
また、レンズを保持するフレームに通気孔を設けたものとして、例えば、フレームと、このフレームの内周部に設けられた溝に着脱自在に嵌め込まれるレンズとを備え、フレームの上下壁にベンチレーション用の複数の通孔を設けると共に、前記フレームの溝を構成する前後壁に、対向する通気用の開口を設けたものがある（特許文献２）。
【０００６】
さらに、従来のゴーグルには、このようなレンズの曇りを防止するために、レンズに防曇コーティングを施したものがある。しかし、この防曇コーティングだけでは、充分とは言えず、また傷がつき易いため、レンズを通して見た視界が妨げられる場合がある。特に、使用者がゴーグル内面に生じた曇りを拭うときに、薄い防曇コーティングに掻き傷がついたり、剥離が生じたりする。
【０００７】
そのため、二枚のレンズを使用して防曇性を確保すると共に、防曇コーティングに傷がついたり、防曇コーティングが剥離したりしないようにしたゴーグルが提案されている。例えば、外レンズと内レンズとを平行にしてフレームに嵌め込み、外レンズ、内レンズ相互の周縁またはその近傍を全周シールして、外レンズ、内レンズ相互間に空室を設け、この空室を構成する外レンズの後面側と内レンズの前面側のうち少なくとも一方に無機膜を設けたものとしている（特許文献３、４）。
【先行技術文献】
【特許文献】
【０００８】
【特許文献１】特開２００１ー２３１９０５号公報
【特許文献２】特開２００１ー２３１８０９号公報
【特許文献３】特開２００６ー１５４５７１号公報
【特許文献４】特開２０１０ー４９２８１号公報
【発明の概要】
【発明が解決しようとする課題】
【０００９】
しかしながら、上記特許文献１に記載されたゴーグルでは、レンズ自体に通気孔を設け
るため、レンズの強度が低下してしまい、耐久性に劣るという課題を有したり、また通気孔を被覆部材で覆うようにしているので、この被覆部材によって視界が妨げられたりするという課題を有する。
【００１０】
さらに、上記特許文献２に記載されたゴーグルでは、フレームを大きくすることなく広い視界を確保できると共に、ベンチレーション部からの空気の流入量を容易に変えることができるとしているが、通気用の開口の面積が狭く、フレーム内の換気が未だ不充分であり、充分な防曇性を確保できないという課題を有していた。
【００１１】
また、上記特許文献３、４に記載されたゴーグルでも、防曇コーティングによるレンズの曇り防止だけでは、充分な防曇性を確保できないという課題を有していた。
【００１２】
さらに、上記特許文献１〜４に記載されたゴーグルでは、充分な防曇性を確保できないので、スキー場での使用や、工場、建築、土木等の現場での各種の作業中の使用において、ゴーグルを一旦、顔から外すことが必要な場合も度々あるという課題を有していた。
【００１３】
そこで、この発明は、レンズの強度が低下することなく耐久性に優れたものとなり、さらに視界が妨げられることなく視認性に優れたものとなり、フレーム内の換気が不充分となることなく充分な防曇性を確保することができるゴ−グルを提供することを目的としてなされたものである。
【課題を解決するための手段】
【００１４】
この発明のゴーグルは、フレーム１の両側端寄りの上下壁に、それぞれリンク部材２の上下端を軸支し、前記リンク部材２にレンズ３の側端３ａをそれぞれ取り付け、このレンズ３の周囲を前記フレーム１の周囲に当接するようにし、前記リンク部材２をそれぞれ操作部材４によって回動操作することにより、前記レンズ３をフレーム１から突き出せるようにしている。
【００１５】
この発明のゴーグルにおいて、前記リンク部材２は、上部体２ａと下部体２ｂと中間体２ｃとから略コ字状に形成したものとしており、リンク部材２の上部体２ａをフレーム１に軸支し、リンク部材２の下部体２ｂをフレーム１に軸支すると共に、このリンク部材２の下部体２ｂに操作部材４を固着している。
【００１６】
この発明のゴーグルにおいて、前記レンズ３は、両側端３ａに係着部材３１を設けており、この係着部材３１によって、前記リンク部材２の中間体２ｃにレンズ３の両側端３ａをそれぞれ着脱自在に取り付けている。
【００１７】
この発明のゴーグルにおいて、前記リンク部材２の中間体２ｃは、上部体２ａの下端に設けた支軸１３を、レンズ３の係着部材３１の係合部３３の係合溝１４を上端に設けた筒体１５がバネ１６で上部体２ａに向かって押し上げられるようにして、この筒体１５に貫通させ、前記支軸１３の下端を、リンク部材２の下部体２ｂに設けた支持孔１７に差し込んだものとしている。
【００１８】
この発明のゴーグルにおいて、前記リンク部材２は、中間体２ｃの上端にレンズ３の係着部材３１の係合部３３の係合溝１４を設けている。
【００１９】
この発明のゴーグルにおいて、前記リンク部材２は、短尺の上部体２ｄと長尺の下部体２ｅとから略く字状に形成したものとしており、リンク部材２の上部体２ｄをフレーム１に軸支し、リンク部材２の下部体２ｅをフレーム１に軸支すると共に、このリンク部材２の下部体２ｅに操作部材４を固着している。
【００２０】
この発明のゴーグルにおいて、前記レンズ３は、両側端３ａに係着部材３１を設けており、この係着部材３１によって、前記リンク部材２の下部体２ｅにレンズ３の両側端３ａをそれぞれ着脱自在に取り付けている。
【００２１】
この発明のゴーグルにおいて、前記リンク部材２は、下部体２ｅの上端および下端にレンズ３の係着部材３１の係合部３３の係合溝１４を設けている。
【００２２】
この発明のゴーグルにおいて、前記操作部材４は、短片状のレバーとしており、この操作部材４の回動に伴って前記リンク部材２が回動するようにし、このリンク部材２に取り付けられたレンズ３が平行な状態で、フレーム１から突き出せるようにしている。
【００２３】
この発明のゴーグルにおいて、前記操作部材４は、短片状のレバーとしており、この操作部材４の回動に伴って前記リンク部材２が回動するようにし、このリンク部材２に取り付けられたレンズ３が傾斜した状態で、フレーム１から突き出せるようにしている。
【００２４】
この発明のゴーグルにおいて、前記操作部材４は、上部体４ａと下部体４ｂと中間体４ｃとから略コ字状に形成したレバーとしており、この操作部材４の回動に伴って前記リンク部材２が回動するようにし、このリンク部材２に取り付けられたレンズ３が平行な状態で、フレーム１から突き出せるようにしている。
【発明の効果】
【００２５】
この発明のゴーグルは、以上に述べたように構成されており、レンズの強度が低下することなく耐久性に優れたものとなり、さらに視界が妨げられることなく視認性に優れたものとなり、フレーム内の換気が不充分となることなく充分な防曇性を確保することができるものとなる。
【００２６】
そして、この発明のゴーグルは、フレーム内を換気するのに簡単な操作で行えるものとなり、スキー、その他のスポーツをしている最中やオートバイの運転をしている最中、さらに工場、建築、土木等の現場での各種の作業中に、防寒用や安全用の手袋を着用したままでも、その換気の操作を行えるものとなる。
【００２７】
さらに、この発明のゴーグルは、スキー場での使用において、従来のゴーグルでは防曇性が充分ではなく、ゴーグルを一旦、顔から外すことが必要な場合も度々あったが、その必要もなくなり、眩しさや紫外線からの眼の保護に役立つものとなる。また、この発明のゴーグルは、工場、建築、土木等の現場での各種の作業中においても、ゴーグルを外す必要がないので、持続的な視界の確保、眼の保護ができるものとなり、作業安全面でも有益なものとなる。
【図面の簡単な説明】
【００２８】
【図１】この発明の第一実施形態のゴーグルの斜視図である。
【図２】この発明の第一実施形態のゴーグルの平面図である。
【図３】この発明の第一実施形態のゴーグルのレンズを前方に突き出した状態の斜視図である。
【図４】図３に示す状態のこの発明のゴーグルの平面図である。
【図５】図３に示す状態のこの発明のゴーグルの側面図である。
【図６】この発明の第一実施形態のゴーグルの分解斜視図である。
【図７】この発明の第一実施形態のゴーグルにおけるレンズおよびフレームのそれぞれの分解斜視図である。
【図８】この発明の第一実施形態のゴーグルにおける操作部材を固着したリンク部材の斜視図である。
【図９】この発明の第一実施形態のゴーグルにおけるリンク部材、操作部材、およびレンズの係着部材の斜視図である。
【図１０】この発明の第一実施形態のゴーグルの主要部の斜視図である。
【図１１】図１０中のＡ平面によるこの発明の第一実施形態のゴーグルの概略断面図である。
【図１２】この発明の第一実施形態のゴーグルにおけるレンズの前方への突き出し操作を斜め方向から見た説明図である。
【図１３】この発明の第一実施形態のゴーグルにおける操作部材を回動操作した場合のリンク部材の回動状態を示す説明図である。
【図１４】この発明の第一実施形態のゴーグルにおけるリンク部材とレンズの係着部材との着脱操作を示す説明図である。
【図１５】この発明の第二実施形態のゴーグルの斜視図である。
【図１６】この発明の第二実施形態のゴーグルの平面図である。
【図１７】この発明の第二実施形態のゴーグルのレンズを前方に突き出した状態の斜視図である。
【図１８】図１７に示す状態のこの発明のゴーグルの平面図である。
【図１９】図１７に示す状態のこの発明のゴーグルの側面図である。
【図２０】この発明の第二実施形態のゴーグルの分解斜視図である。
【図２１】この発明の第二実施形態のゴーグルにおけるレンズおよびフレームのそれぞれの分解斜視図である。
【図２２】この発明の第二実施形態のゴーグルにおける操作部材を固着したリンク部材の斜視図である。
【図２３】この発明の第二実施形態のゴーグルにおけるリンク部材、操作部材、およびレンズの係着部材の斜視図である。
【図２４】この発明の第二実施形態のゴーグルにおけるリンク部材とレンズの係着部材との着脱操作を示す説明図である。
【図２５】この発明の第二実施形態のゴーグルにおけるリンク部材とレンズの係着部材との着脱操作を示す説明図である。
【図２６】この発明の第二実施形態のゴーグルにおける操作部材を回動操作した場合のリンク部材の回動状態を示す説明図である。
【図２７】この発明の第三実施形態のゴーグルにおけるレンズを前方に突き出した状態の側面図である。
【図２８】この発明の第三実施形態のゴーグルの主要部の斜視図である。
【図２９】図２８中のＢ平面によるこの発明の第三実施形態のゴーグルの概略断面図に示されたリンク部材に、レンズの係着部材を取り付ける状態を示す説明図である。
【図３０】この発明の第三実施形態のゴーグルにおけるレンズの係着部材の斜視図である。
【図３１】この発明の第四実施形態のゴーグルの斜視図である。
【図３２】この発明の第四実施形態のゴーグルの平面図である。
【図３３】この発明の第四実施形態のゴーグルのレンズを前方に突き出した状態の斜視図である。
【図３４】図３３に示す状態のこの発明のゴーグルの平面図である。
【図３５】図３３に示す状態のこの発明のゴーグルの側面図である。
【図３６】この発明の第四実施形態のゴーグルにおけるレンズ部とフレーム部の分解斜視図である。
【図３７】この発明の第四実施形態のゴーグルにおけるレンズ部およびフレーム部のそれぞれの分解斜視図である。
【図３８】この発明の第四実施形態のゴーグルにおけるリンク部材、操作レバー、およびレンズの係着部材それぞれの一例を示す斜視図である。
【図３９】この発明の第四実施形態のゴーグルにおけるリンク部材、操作レバー、およびレンズの係着部材それぞれの他の例を示す斜視図である。
【図４０】この発明の第四実施形態のゴーグルの一側端の概略断面図である。
【図４１】この発明の第四実施形態のゴーグルにおけるレンズ部の前方への突き出し操作を斜め方向から見た説明図である。
【図４２】この発明の第四実施形態のゴーグルにおけるレンズ部の前方への突き出し操作を真上から見た説明図である。
【発明を実施するための形態】
【００２９】
以下、この発明のゴーグルを実施するための形態について、図面に基づき詳細に説明する。
【００３０】
図１〜１４はこの発明のゴーグルの第一実施形態を示し、図１５〜２６はこの発明のゴーグルの第二実施形態を示し、図２７〜３０はこの発明のゴーグルの第三実施形態を示し、図３１〜４２はこの発明のゴーグルの第四実施形態を示している。
【００３１】
この発明のゴーグルは、何れの実施形態においても、フレーム１の両側端寄りの上下壁に、それぞれリンク部材２の上下端を軸支し、前記リンク部材２にレンズ３の側端３ａをそれぞれ取り付け、このレンズ３の周囲を前記フレーム１の周囲に当接するようにし、前記リンク部材２をそれぞれ操作部材４によって回動操作することにより、前記レンズ３をフレーム１から突き出せるようにしている。
【００３２】
先ず、図１〜１４に示したこの発明のゴーグルにおいて、前記フレーム１は、前フレーム１ａと後フレーム１ｂからなり、前フレーム１ａを後フレーム１ｂに嵌め込んだものとしている。
【００３３】
前フレーム１ａには、図６、７に示したように、前面の周囲にレンズ３の当て溝５が設けられており、この当て溝５にレンズ３の周囲が当接するようにしている。さらに、前フレーム１ａには、両側端寄りの上壁に軸支部６が設けられ、両側端寄りの下壁に軸孔７が設けられている。
【００３４】
後フレーム１ｂには、図６、７に示したように、両側端の外側に装着ベルトＢの通し孔Ｓが設けられ、両側端寄りの上下壁に軸孔８が設けられている。なお、後フレーム１ｂの上下壁には、図２、４に示したような通気性のカバーＣａで覆ったベンチレーション用の複数の通孔Ｈが設けられており、後フレーム１ｂの後壁には、図２、４に示したような着用者の顔面との密接を良好なものとするためのスポンジ等からなるクッションＣｕが取り付けられている。
【００３５】
リンク部材２は、それぞれ図８〜１１に示したように、上部体２ａと下部体２ｂと中間体２ｃとから略コ字状に形成したものとしており、上部体２ａの上端には、支持孔１１を設けており、この支持孔１１と後フレーム１ｂの軸孔８を一致させて、これらの孔に前フレーム１ａの軸支部６を軸支させることにより、リンク部材２の上部体２ａをフレーム１に軸支している。前記リンク部材２の下部体２ｂの下端には、嵌合突起１２を設けており、前フレーム１ａの軸孔７と後フレーム１ｂの軸孔８を一致させて、これらの孔に嵌合突起１２を貫通させると共に、後に述べる操作部材４の一端に設けた嵌合穴４１に嵌合突起１２を嵌合させ止めピンＰで止めて、リンク部材２の下部体２ｂをフレーム１に軸支すると共に、このリンク部材２の下部体２ｂに操作部材４を固着している。
【００３６】
前記リンク部材２の中間体２ｃは、上部体２ａの下端に設けた支軸１３を、後に述べるレンズ３の係着部材３１の係合部３３の係合溝１４を上端に設けた筒体１５がバネ１６で上部体２ａに向かって押し上げられるようにして、この筒体１５に貫通させ、前記支軸１３の下端を、リンク部材２の下部体２ｂに設けた支持孔１７に差し込んだものとしている。
【００３７】
レンズ３は、図６、７に示したように、両側端３ａに係着部材３１を設けており、この係着部材３１によって、前記リンク部材２の中間体２ｃにレンズ３の両側端３ａをそれぞれ着脱自在に取り付けている。係着部材３１は、上下端にレンズ３の挟み片３２を設け、中間部にリンク部材２との係合部３３、およびレンズ３との係合部３４をそれぞれ設けている。そして、この係着部材３１の挟み片３２をレンズ３の両側端３ａに挟み込むと共に、係着部材３１の係合部３３を、レンズ３の両側端３ａに設けた係合溝３５から突出するようにして、この係合溝３５に係合し、前記係着部材３１の係合部３４を、前記レンズ３の両側端３ａに設けた係合孔３６に係合させている。一方、係着部材３１の係合部３３を、リンク部材２の筒体１５の係合溝１４に着脱自在に係合して取り付けている。なお、前記レンズ３は、一枚ものとしたり、二枚を貼り合わせたものとしたり、球面レンズ、円筒レンズ、自由曲面レンズとしたりすることができ、レンズの形状や種類は問わない。
【００３８】
操作部材４は、それぞれ図６〜９に示したように、短片状のレバーとしており、一端に前記嵌合穴４１を設けており、他端に指掛け部４２を設けている。このようにした操作部材４の指掛け部４２に指を掛けて前方に回動することにより、この回動に伴って前記リンク部材２が回動するようにしている。そして、このリンク部材２が回動することにより、図３〜５に示したように、このリンク部材２に取り付けられたレンズ３が平行な状態で、フレーム１から突き出せるようにしている。
【００３９】
次に、図１５〜２６に示したこの発明のゴーグルにおいて、前記フレーム１は、第一実施形態のものと同様、前フレーム１ａと後フレーム１ｂからなり、前フレーム１ａを後フレーム１ｂに嵌め込んだものとしている。
【００４０】
前フレーム１ａには、図２０、２１に示したように、前面の周囲にレンズ３の当て溝５が設けられており、この当て溝５にレンズ３の周囲が当接するようにしている。さらに、前フレーム１ａには、両側端寄りの上壁に軸支部６が設けられ、両側端寄りの下壁に軸孔７が設けられている。
【００４１】
後フレーム１ｂには、図２０、２１に示したように、両側端の外側に装着ベルトＢの通し孔Ｓが設けられ、両側端寄りの上下壁に軸孔８が設けられている。なお、後フレーム１ｂの上下壁には、図１６、１８に示したような通気性のカバーＣａで覆ったベンチレーション用の複数の通孔Ｈが設けられており、後フレーム１ｂの後壁には、図１６、１８に示したような着用者の顔面との密接を良好なものとするためのスポンジ等からなるクッションＣｕが取り付けられている。
【００４２】
リンク部材２の一方は、第一実施形態のものと同様に構成されており、この第一実施形態の図８〜１１に示したように、上部体２ａと下部体２ｂと中間体２ｃとから略コ字状に形成したものとしており、上部体２ａの上端には、支持孔１１を設けており、この支持孔１１と後フレーム１ｂの軸孔８を一致させて、これらの孔に前フレーム１ａの軸支部６を軸支させることにより、リンク部材２の上部体２ａをフレーム１に軸支している。前記リンク部材２の下部体２ｂの下端には、嵌合突起１２を設けており、前フレーム１ａの軸孔７と後フレーム１ｂの軸孔８を一致させて、これらの孔に嵌合突起１２を貫通させると共に、後に述べる操作部材４の一端に設けた嵌合穴４１に嵌合突起１２を嵌合させ止めピンＰで止めて、リンク部材２の下部体２ｂをフレーム１に軸支すると共に、このリンク部材２の下部体２ｂに操作部材４を固着している。
【００４３】
前記リンク部材２の中間体２ｃは、上部体２ａの下端に設けた支軸１３を、後に述べるレンズ３の係着部材３１の係合部３３の係合溝１４を上端に設けた筒体１５がバネ１６で上部体２ａに向かって押し上げられるようにして、この筒体１５に貫通させ、前記支軸１３の下端を、リンク部材２の下部体２ｂに設けた支持孔１７に差し込んだものとしている。
【００４４】
なお、前記リンク部材２の一方は、後に述べるリンク部材２のもう一方と同様に構成したものとすることもできる。
【００４５】
リンク部材２のもう一方は、図２２、２３に示したように、上部体２ａと下部体２ｂと中間体２ｃとから略コ字状に形成したものとしており、上部体２ａの上端には、支持孔１１を設けており、この支持孔１１と後フレーム１ｂの軸孔８を一致させて、これらの孔に前フレーム１ａの軸支部６を軸支させることにより、リンク部材２の上部体２ａをフレーム１に軸支している。前記リンク部材２の下部体２ｂの下端には、嵌合突起１２を設けており、前フレーム１ａの軸孔７と後フレーム１ｂの軸孔８を一致させて、これらの孔に嵌合突起１２を貫通させると共に、後に述べる操作部材４の一端に設けた嵌合穴４１に嵌合突起１２を嵌合させ止めピンＰで止めて、リンク部材２の下部体２ｂをフレーム１に軸支すると共に、このリンク部材２の下部体２ｂに操作部材４を固着している。
【００４６】
前記リンク部材２は、中間体２ｃの上端に、後に述べるレンズ３の係着部材３１の係合部３３の係合溝１４を設けている。
【００４７】
レンズ３は、第一実施形態のものと同様に構成されており、図２０、２１に示したように、両側端３ａに係着部材３１を設けており、この係着部材３１によって、前記リンク部材２の中間体２ｃにレンズ３の両側端３ａをそれぞれ着脱自在に取り付けている。係着部材３１は、上下端にレンズ３の挟み片３２を設け、中間部にリンク部材２との係合部３３、およびレンズ３との係合部３４をそれぞれ設けている。そして、この係着部材３１の挟み片３２をレンズ３の両側端３ａに挟み込むと共に、係着部材３１の係合部３３を、レンズ３の両側端３ａに設けた係合溝３５から突出するようにして、この係合溝３５に係合し、前記係着部材３１の係合部３４を、前記レンズ３の両側端３ａに設けた係合孔３６に係合させている。一方、係着部材３１の係合部３３を、リンク部材２の係合溝１４に着脱自在に係合して取り付けている。
【００４８】
操作部材４は、第一実施形態のものと同様に構成されており、それぞれ図２０〜２３に示したように、短片状のレバーとしており、一端に前記嵌合穴４１を設けており、他端に指掛け部４２を設けている。このようにした操作部材４の指掛け部４２に指を掛けて前方に回動することにより、この回動に伴って前記リンク部材２が回動するようにしている。そして、このリンク部材２が回動することにより、図１７〜１９に示したように、このリンク部材２に取り付けられたレンズ３が平行な状態で、フレーム１から突き出せるようにしている。
【００４９】
さらに、図２７〜３０に示したこの発明のゴーグルにおいて、前記フレーム１は、第一、二実施形態のものと同様、前フレーム１ａと後フレーム１ｂからなり、これら前フレーム１ａおよび後フレーム１ｂも、第一、二実施形態のものと同様に構成されている。
【００５０】
リンク部材２は、それぞれ図２９に示したように、短尺の上部体２ｄと長尺の下部体２ｅとから略く字状に形成したものとしており、上部体２ｄの上端には、支持孔１１を設けており、この支持孔１１と後フレーム１ｂの軸孔８を一致させて、これらの孔に前フレーム１ａの軸支部６を軸支させることにより、リンク部材２の上部体２ｄをフレーム１に軸支している。前記リンク部材２の下部体２ｅの下端には、嵌合突起１２を設けており、前フレーム１ａの軸孔７と後フレーム１ｂの軸孔８を一致させて、これらの孔に嵌合突起１２を貫通させると共に、後に述べる操作部材４の一端に設けた嵌合穴４１に嵌合突起１２を嵌合させ止めピンＰで止めて、リンク部材２の下部体２ｅをフレーム１に軸支すると共に、このリンク部材２の下部体２ｅに操作部材４を固着している。
【００５１】
前記リンク部材２は、下部体２ｅの上端および下端に、後に述べるレンズ３の係着部材３１の係合部３３の係合溝１４を設けている。
【００５２】
レンズ３は、第一、二実施形態のものと同様に、両側端３ａに係着部材３１を設けており、この係着部材３１によって、前記リンク部材２の下部体２ｅにレンズ３の両側端３ａをそれぞれ着脱自在に取り付けている。係着部材３１は、上端にレンズ３の挟み片３２を設け、上下端にリンク部材２との係合部３３を設け、中間部にレンズ３との係合部３４を設けている。そして、この係着部材３１の挟み片３２をレンズ３の両側端３ａに挟み込むと共に、係着部材３１の係合部３３を、レンズ３の両側端３ａに設けた係合溝（図７、２１に示した係合溝３５に相当）から突出するようにして、この係合溝に係合し、前記係着部材３１の係合部３４を、前記レンズ３の両側端３ａに設けた係合孔（図７、２１に示した係合孔３６に相当）に係合させている。一方、係着部材３１の係合部３３を、リンク部材２の係合溝１４に着脱自在に係合して取り付けている。
【００５３】
操作部材４は、短片状のレバーとしており、第一、二実施形態のものと同様、それぞれ一端に前記嵌合穴４１を設けており、他端に指掛け部４２を設けている。このようにした操作部材４の指掛け部４２に指を掛けて前方に回動することにより、この回動に伴って前記リンク部材２が回動するようにしている。そして、このリンク部材２が回動することにより、図２７に示したように、このリンク部材２に取り付けられたレンズ３が傾斜した状態で、フレーム１から突き出せるようにしている。
【００５４】
さらにまた、図３１〜４２に示したこの発明のゴーグルにおいて、前記フレーム１は、前フレーム１ａと後フレーム１ｂからなり、前フレーム１ａを後フレーム１ｂに嵌め込んだものとしている。
【００５５】
前フレーム１ａには、図３６、３７に示したように、前面の周囲にレンズ３の当て溝５が設けられており、この当て溝５にレンズ３の周囲が当接するようにしている。さらに、前フレーム１ａには、両側端寄りの上下壁に軸孔７がそれぞれ設けられ、また両側端の上下壁には装着ベルトＢの支持棒Ｒを軸支している。なお、前記軸孔７は、略半円形の小孔７ａと略半円形の大孔７ｂを繋ぎ合わせたような形状に形成している。
【００５６】
後フレーム１ｂには、図３６、３７に示したように、両側端寄りの上下壁に前記軸孔７に一致する位置に軸孔８がそれぞれ設けられ、さらに両側端の上下には前記支持棒Ｒの軸孔９を設けた支持片１０が設けられている。なお、後フレーム１ｂの上下壁には、図３２、３４に示したような通気性のカバーＣａで覆ったベンチレーション用の複数の通孔Ｈが設けられており、後フレーム１ｂの後壁には、図３２、３４に示したような着用者の顔面との密接を良好なものとするためのスポンジ等からなるクッションＣｕが取り付けられている。
【００５７】
リンク部材２は、それぞれ図３８〜４０に示したように、上部体２ａと下部体２ｂと中間体２ｃとから略コ字状に形成したものとしている。上部体２ａおよび下部体２ｂには、それぞれ嵌合溝１９を設けた支持突起２０を設けており、これら支持突起２０を前フレーム１ａおよび後フレーム１ｂの軸孔７、８に貫通させて、後に述べる操作部材４の嵌合部４３を前記嵌合溝１９に嵌め込んで固着することにより、リンク部材２の上下部体２ａ、２ｂをフレーム１に軸支している。なお、前記嵌合溝１９は、円形溝１９ａに小さな矩形溝１９ｂを連ねたような形状に形成している。さらに、前記リンク部材２の中間体２ｃには、図３８に示したように、空洞２１を設けており、この空洞２１の上下壁間に係合軸２２を設けている。また、前記リンク部材２は、図３９に示したように、中間体２ｃに設けた空洞２１の上下壁にそれぞれ係合突起２３を設けたものとしてもよい。
【００５８】
レンズ３は、図３６、３７に示したように、両側端３ａに係着部材３１を設けており、この係着部材３１によって、前記リンク部材２の中間体２ｃにレンズ３の両側端３ａをそれぞれ着脱自在に取り付けている。係着部材３１は、図３７に示したように、上下端にレンズ３の両側端３ａに設けた係合孔３６との係合部３４を設け、中間部にリンク部材２の係合軸２２との係合部３７を設けている。そして、この係着部材３１の係合部３４をレンズ３の係合孔３６に係合すると共に、係着部材３１の係合部３７をレンズ３の両側端３ａに設けた係合溝３５から突出するようにして、この係合溝３５に係合させている。一方、係着部材３１の係合部３７を、リンク部材２の係合軸２２に着脱自在に係合して取り付けている。なお、前記係着部材３１は、図３９に示したように、一側端にレンズ３の挟み溝３８を設け、上下端に係合孔３９を設けたものとしてもよい。
【００５９】
操作部材４は、それぞれ図３８〜４０に示したように、上部体４ａと下部体４ｂと中間体４ｃとから略コ字状に形成したレバーとしており、上下部体４ａ、４ｂに前記嵌合部４３を突設しており、中間体４ｃに指掛け部４２を設けている。なお、前記嵌合部４３は、断面を、前フレーム１ａに設けた軸孔７の小孔７ａと同一径にした円形軸４３ａに小さな矩形軸４３ｂを繋ぎ合わせたような前記嵌合溝１９と同様の形状に形成している。このようにした操作部材４の指掛け部４２に指を掛けて前方に回動することにより、この回動に伴って前記リンク部材２が回動するようにしている。そして、このリンク部材２が回動することにより、図３３〜３５に示したように、このリンク部材２に取り付けられたレンズ３が平行な状態で、フレーム１から突き出せるようにしている。
【００６０】
以上のように構成したこの発明のゴ−グルを着用して、スキーをしたり、オートバイの運転をしたりしているとき、または工場、建築、土木等の現場での各種の作業をしたりしているときにレンズが曇った場合には、以下に示すように操作部材を回動操作すればよい。
【００６１】
この発明の第一実施形態のゴーグルでは、それぞれの操作部材４を、図１および図２に示した状態から図３および図４に示した状態（図１２（ａ）および図１３（ａ）に示した状態から図１２（ｂ）および図１３（ｂ）に示した状態）になるまで回動操作すればよい。これらの操作部材４の回動操作によって、略コ字状に形成したそれぞれのリンク部材２も回動するので、これらのリンク部材２に係着部材３１によって取り付けられたレンズ３が平行な状態でフレーム１から突き出される。
【００６２】
すると、この発明の第一実施形態のゴーグルでは、前記レンズ３とフレーム１との間に隙間があき、この隙間から外気が入り循環して、フレーム１内が換気されるので、レンズ３の曇りは防止されることになる。
【００６３】
また、この発明の第一実施形態のゴーグルでは、それぞれのリンク部材２の上部体２ａに向かってバネ１６によって押し上げられた筒体１５を、前記図１２（ｂ）に示した状態から図１４（ａ）に示した状態になるまで押し下げると、レンズ３の両側端３ａに設けられた係着部材３１の係合部３３を、図１４（ｂ）に示したように、前記筒体１５の係合溝１４から外すことができるので、レンズ３をそれぞれのリンク部材２から外すことができる。そして、前記レンズ３をそれぞれのリンク部材２に取り付けるには、逆に図１４（ｂ）に示した状態から図１４（ａ）に示した状態にし、筒体１５を図１２（ｂ）の状態に戻せばよい。
【００６４】
このような操作によって、この発明の第一実施形態のゴーグルでは、使用中にレンズ３が損傷した場合や、レンズ３の色彩を変更したい場合などにも、そのレンズ３を他のレンズに簡単に交換することができるものとなる。
【００６５】
なお、この発明の第一実施形態のゴーグルでは、前記したようにレンズ３をそれぞれのリンク部材２から外したり、取り付けたりすることができるので、安定した状態で、確実にレンズの交換することができるものとなる。
【００６６】
次に、この発明の第二実施形態のゴーグルでは、それぞれの操作部材４を、図１５および図１６に示した状態から図１７および図１８に示した状態（前記第一実施形態の図１２（ａ）および図１３（ａ）に示した状態から図１２（ｂ）および図１３（ｂ）に示した状態、ならびに図２６（ａ）に示した状態から図２６（ｂ）に示した状態を参照）になるまで回動操作すればよい。これらの操作部材４の回動操作によって、略コ字状に形成したそれぞれのリンク部材２も回動するので、これらのリンク部材２に係着部材３１によって取り付けられたレンズ３が平行な状態でフレーム１から突き出される。
【００６７】
すると、この発明の第二実施形態のゴーグルでは、前記レンズ３とフレーム１との間に隙間があき、この隙間から外気が入り循環して、フレーム１内が換気されるので、レンズ３の曇りは防止されることになる。
【００６８】
また、この発明の第二実施形態のゴーグルでは、一方のリンク部材２の上部体２ａに向かってバネ１６によって押し上げられた筒体１５を押し下げると（前記第一実施形態の図１２（ｂ）に示した状態から図１４（ａ）に示した状態を参照）、レンズ３の一側端３ａに設けられた係着部材３１の係合部３３を、図２４に示したように、前記筒体１５の係合溝１４から外すことができるので、レンズ３の一側端３ａを一方のリンク部材２から外すことができる。さらに、もう一方のリンク部材２の中間体２ｃに設けられた係合溝１４から、レンズ３のもう一側端３ａに設けられた係着部材３１の係合部３３を引き抜くと、図２５に示したように、前記係合溝１４から外すことができるので、レンズ３のもう一側端３ａをもう一方のリンク部材２から外すことができる。そして、前記レンズ３の一側端３ａを一方のリンク部材２に取り付けるには、その外した状態から元の状態（前記第一実施形態の図１４（ｂ）に示した状態から図１４（ａ）に示した状態、図１２（ｂ）の状態を参照）に戻せばよく、前記レンズ３のもう一側端３ａをもう一方のリンク部材２に取り付けるには、その引き抜いた状態から差し込めば、元の状態に戻すことができる。
【００６９】
このような操作によって、この発明の第二実施形態のゴーグルでは、使用中にレンズ３が損傷した場合や、レンズ３の色彩を変更したい場合などにも、そのレンズ３を他のレンズに簡単に交換することができるものとなる。
【００７０】
なお、この発明の第二実施形態のゴーグルでは、前記したようにレンズ３のもう一側端３ａをもう一方のリンク部材２から引き抜くだけで外すことができ、またレンズ３のもう一側端３ａをもう一方のリンク部材２に差し込むだけで取り付けることができるので、第一実施形態のゴーグルに比べ、レンズ交換を簡単にすることができるものとなる。
【００７１】
さらに、この発明の第二実施形態のゴーグルにおいて、前記リンク部材２の一方を、リンク部材２のもう一方と同様に構成したものでは、レンズ３の両側端３ａをそれぞれのリンク部材２から引き抜くだけで外すことができ、またレンズ３の両側端３ａをそれぞれのリンク部材２に差し込むだけで取り付けることができるので、第一実施形態のゴーグルに比べ、レンズ交換をより簡単にすることができるものとなる。
【００７２】
そして、この発明の第三実施形態のゴーグルでは、それぞれの操作部材４を図２７に示した状態になるように回動操作すればよい。これらの操作部材４の回動操作によって、略く字状に形成したそれぞれのリンク部材２も回動するので、これらのリンク部材２に係着部材３１によって取り付けられたレンズ３が同図に示したように傾斜した状態でフレーム１から突き出される。
【００７３】
すると、この発明の第三実施形態のゴーグルでは、前記レンズ３とフレーム１との間に隙間があき、この隙間から外気が入り循環して、フレーム１内が換気されるので、レンズ３の曇りは防止されることになる。
【００７４】
また、この発明の第三実施形態のゴーグルでは、それぞれのリンク部材２の係合溝１４からレンズ３の両側端３ａに設けられた係着部材３１の係合部３３を引き抜くと、図２９に示したように、これらの係合部３３をリンク部材２の係合溝１４から外すことができるので、レンズ３をそれぞれのリンク部材２から外すことができる。そして、前記レンズ３をそれぞれのリンク部材２に取り付けるには、それぞれのリンク部材２の係合溝１４に係着部材３１の係合部３３を係合させればよい。
【００７５】
このような操作によって、この発明の第三実施形態のゴーグルでは、使用中にレンズ３が損傷した場合や、レンズ３の色彩を変更したい場合などにも、そのレンズ３を他のレンズに簡単に交換することができるものとなる。
【００７６】
なお、この発明の第三実施形態のゴーグルでは、前記したようにレンズ３の両側端３ａをそれぞれのリンク部材２から引き抜くだけで外すことができ、レンズ３の両側端３ａをそれぞれのリンク部材２に差し込むだけで取り付けることができるので、第一、二実施形態のゴーグルに比べ、レンズ交換をより簡単にすることができるものとなる。
【００７７】
最後に、この発明の第四実施形態のゴーグルでは、それぞれの操作部材４を、図４１（ａ）および図４２（ａ）に示した状態から図４１（ｂ）および図４２（ｂ）に示した状態になるまで回動操作すればよい。これらの操作部材４の回動操作によって、略コ字状に形成したそれぞれのリンク部材２も回動するので、これらのリンク部材２に係着部材３１によって取り付けられたレンズ３が平行な状態でフレーム１から突き出される。
【００７８】
すると、この発明の第四実施形態のゴーグルでは、前記レンズ３とフレーム１との間に隙間があき、この隙間から外気が入り循環して、フレーム１内が換気されるので、レンズ３の曇りは防止されることになる。なお、前記操作部材４の回動角αは、これらの操作部材４の矩形軸４３ｂが前フレーム１ａに設けた軸孔７の大孔７ｂ内で回動するようにすることにより、図４２（ｂ）に示したように約５０度に制限されており、これらの操作部材４が回動し過ぎてレンズ３の前方まで回動しないようにしており、着用者の視界を妨げないようにしている。
【００７９】
また、この発明の第四実施形態のゴーグルでは、リンク部材２の係合軸２２をレンズ３の両側端３ａに設けられた係着部材３１の係合部３７から外すか、リンク部材２の係合突起２３をレンズ３の両側端３ａに設けられた係着部材３１の係合孔３９から引き抜くと、図３６〜３９に示したように、レンズ３をそれぞれのリンク部材２から外すことができる。そして、前記レンズ３をそれぞれのリンク部材２に取り付けるには、それぞれのリンク部材２の係合軸２２に係着部材３１の係合部３８を係合させるか、それぞれのリンク部材２の係合突起２３を係着部材３１の係合孔３９に差し込めばよい。
【００８０】
このような操作によって、この発明の第四実施形態のゴーグルでは、使用中にレンズ３が損傷した場合や、レンズ３の色彩を変更したい場合などにも、そのレンズ３を他のレンズに簡単に交換することができるものとなる。
【００８１】
なお、この発明の第四実施形態のゴーグルにおいても、前記したようにレンズ３の両側端３ａをそれぞれのリンク部材２に差し込むだけで取り付けることができるので、第一、二実施形態のゴーグルに比べ、レンズ交換をより簡単にすることができるものとなる。
【００８２】
この発明のゴーグルは、以上に述べたように構成されており、先に述べた通り、レンズ３の強度が低下することなく耐久性に優れたものとなり、さらに着用者の視界が妨げられることなく視認性に優れたものとなり、フレーム１内の換気が不充分となることなく、充分な防曇性を確保することができるものとなる。
【００８３】
そして、この発明のゴーグルは、先に述べた通り、フレーム１内を換気するのに簡単な操作で行えるものとなり、スキー、その他のスポーツをしている最中やオートバイの運転をしている最中、さらに工場、建築、土木等の現場での各種の作業中に、防寒用や安全用の手袋を着用したままでも、その換気の操作を行えるものとなる。
【００８４】
さらに、この発明のゴーグルは、先に述べた通り、スキー場での使用において、従来のゴーグルでは防曇性が充分ではなく、ゴーグルを一旦、顔から外すことが必要な場合も度々あったが、その必要もなくなり、眩しさや紫外線からの眼の保護に役立つものとなる。
【００８５】
また、この発明のゴーグルは、工場、建築、土木等の現場での各種の作業中においても、ゴーグルを外す必要がないので、持続的な視界の確保、眼の保護ができるものとなり、作業安全面でも有益なものとなる。
【符号の説明】
【００８６】
１  フレーム
２  リンク部材
２ａ  上部体
２ｂ  下部体
２ｃ  中間体
２ｄ  上部体
２ｅ  下部体
３  レンズ
３ａ  側端
４  操作部材
４ａ  上部体
４ｂ  下部体
４ｃ  中間体
１３  支軸
１４  係合溝
１５  筒体
１６  バネ
１７  支持孔
３１  係着部材
３３  係合部
【図１】
2015163181.tif 000003
【図２】
2015163181.tif 000004
【図３】
2015163181.tif 000005
【図４】
2015163181.tif 000006
【図５】
2015163181.tif 000007
【図６】
2015163181.tif 000008
【図７】
2015163181.tif 000009
【図８】
2015163181.tif 000010
【図９】
2015163181.tif 000011
【図１０】
2015163181.tif 000012
【図１１】
2015163181.tif 000013
【図１２】
2015163181.tif 000014
【図１３】
2015163181.tif 000015
【図１４】
2015163181.tif 000016
【図１５】
2015163181.tif 000017
【図１６】
2015163181.tif 000018
【図１７】
2015163181.tif 000019
【図１８】
2015163181.tif 000020
【図１９】
2015163181.tif 000021
【図２０】
2015163181.tif 000022
【図２１】
2015163181.tif 000023
【図２２】
2015163181.tif 000024
【図２３】
2015163181.tif 000025
【図２４】
2015163181.tif 000026
【図２５】
2015163181.tif 000027
【図２６】
2015163181.tif 000028
【図２７】
2015163181.tif 000029
【図２８】
2015163181.tif 000030
【図２９】
2015163181.tif 000031
【図３０】
2015163181.tif 000032
【図３１】
2015163181.tif 000033
【図３２】
2015163181.tif 000034
【図３３】
2015163181.tif 000035
【図３４】
2015163181.tif 000036
【図３５】
2015163181.tif 000037
【図３６】
2015163181.tif 000038
【図３７】
2015163181.tif 000039
【図３８】
2015163181.tif 000040
【図３９】
2015163181.tif 000041
【図４０】
2015163181.tif 000042
【図４１】
2015163181.tif 000043
【図４２】
2015163181.tif 000044